(57)【要約】【課題】予測されるネットワークの利用状況に応じた適切なネットワーク構成に設定することを可能とする。【解決手段】スケジュール情報収集部１１２は、ネットワークの利用者のスケジュール情報から、ネットワークを利用するイベントの予定を取得する。データ分析部１１３は、イベントの予定から、ネットワークの利用状況を予測し、イベントにあるネットワーク利用が可能となるような前記ネットワークの構成の変更案を生成する。インフラ設定部１１５は、変更案のネットワーク構成となるように、ネットワーク管理装置３１０にネットワーク設定を指示する。【選択図】図３
2020043376.tif 000002
【特許請求の範囲】
【請求項１】
ネットワークの構成を変更するネットワーク設定装置であって、
前記ネットワークの利用者のスケジュール情報から、前記ネットワークを利用するイベントの予定を取得するスケジュール情報収集部と、
前記イベントの予定から、前記ネットワークの利用状況を予測し、前記利用が可能となるように前記ネットワークの構成を変更するネットワーク設定部と
を備えることを特徴とするネットワーク設定装置。
【請求項２】
前記ネットワーク設定部は、
前記イベントの実施期間における前記ネットワークに流れるトラフィックの経路と帯域を算出して、前記トラフィックの経路と帯域から前記ネットワークを構成するリンクの使用帯域を算出し、前記使用帯域が所定の値を超える場合には、前記リンクを流れるトラフィックのなかにある一部のトラフィックの経路を変更するように前記ネットワークの構成を変更する
ことを特徴とする請求項１に記載のネットワーク設定装置。
【請求項３】
前記ネットワーク設定部は、
前記ネットワークの構成を変更する変更案を複数生成して出力し、選択された前記変更案のネットワークの構成に変更する
ことを特徴とする請求項２に記載のネットワーク設定装置。
【請求項４】
前記ネットワーク設定部は、
前記イベントが、前記ネットワークを構成し、前記利用者が利用するモバイル端末を利用するイベントである場合に、前記イベントの実施期間中における前記モバイル端末が利用可能であるように前記ネットワークの構成を変更する
ことを特徴とする請求項１に記載のネットワーク設定装置。
【請求項５】
ネットワークの構成を変更するネットワーク設定装置であって、
前記ネットワークの利用者のスケジュール情報から、前記ネットワークを利用するイベントの予定を取得するスケジュール情報収集部と、
前記イベントの実施期間における前記ネットワークに流れるトラフィックの経路と帯域を算出して、前記トラフィックの経路と帯域から前記ネットワークを構成するリンクの使用帯域を算出し、前記使用帯域が所定の値を超える場合には、前記リンクを流れるトラフィックのなかにある一部のトラフィックの経路を変更する前記ネットワークの構成の変更案と、前記使用帯域が所定の値を超えるリンクの速度を変更する前記ネットワークの構成の変更案とを生成して出力し、前記トラフィックの経路を変更する前記ネットワークの構成の変更案の選択を受け付けた場合には、当該トラフィックの経路を変更するように前記ネットワークの構成を変更するネットワーク設定部と
を備えることを特徴とするネットワーク設定装置。
【請求項６】
前記ネットワーク設定部は、
前記ネットワークの構成の変更後における前記リンクの使用帯域率を算出して変更案を生成して出力する
ことを特徴とする請求項５に記載のネットワーク設定装置。
【請求項７】
ネットワークの構成を変更するネットワーク設定装置のネットワーク設定方法であって、
前記ネットワーク設定装置は、
前記ネットワークの利用者のスケジュール情報から、前記ネットワークを利用するイベントの予定を取得するステップと、
前記イベントの予定から、前記ネットワークの利用状況を予測し、前記利用が可能となるように前記ネットワークの構成を変更するステップと
を実行することを特徴とするネットワーク設定方法。
【発明の詳細な説明】
【技術分野】
【０００１】
本発明は、ネットワークの利用状況に応じた適切なネットワーク構成に設定するネットワーク設定装置およびネットワーク設定方法に関する。
【背景技術】
【０００２】
企業を始めとする組織のＩＴ部門は、拠点内、拠点間、およびインターネットと組織間のネットワークの利用状況を監視したり、利用者からのネットワーク利用予定の通知を受けたりして、ネットワークの利用状況を予測し、ネットワークトラフィック（以下、トラフィックとも記す）の経路設定を行う。こうすることで、ＩＴ部門は、ネットワーク管理の１つとして、ネットワークの品質を維持している。
【０００３】
例えば、サーバと端末とを接続する複数の通信経路があり、最短経路のトラフィックの帯域がその経路上にあるリンクの速度（帯域）を上回る場合には、ＩＴ部門は、一部のアプリケーションのトラフィックを別の経路を流れるように設定することで、輻輳が発生することを回避する。ＩＴ部門が決定したスケジュールに基づいて、経路を設定するネットワーク設定を実施する手法として特許文献１に記載のソフトウェアを用いる手法がある。
【０００４】
輻輳を引き起こすようなトラフィックとして、講演の動画視聴やビデオ会議などがある。利用者は、自身の都合のよいときに録画済みの動画を視聴したり、参加者の都合に合わせてビデオ会議の日時を設定したりする。動画視聴やビデオ会議の予定は、利用者個人のスケジュールとしてスケジューラ（スケジュール管理サーバ）に登録されている。
非特許文献２には、スケジュールを参照して事前に予定を通知する装置が記載されている。利用者は、このような装置から通知を受けて、予定した日時に動画視聴したり、ビデオ会議に参加したりする。しかしながら、ＩＴ部門は、個々の利用者のスケジュールまでは管理していない。
【０００５】
ＩＴ部門が行う、ネットワーク品質維持以外のネットワーク管理として、セキュリティ管理がある。セキュリティ管理の１つとして、ネットワーク利用者が外出時に利用するモバイル端末のセキュリティ管理があり、紛失や盗難などにより所在不明となったモバイル端末の利用を停止する運用が行われている。
【先行技術文献】
【非特許文献】
【０００６】
【非特許文献１】1.2.3 スケジュール制御、JP1/Automatic Job Management System 2 解説、［online］、2006年6月、日立製作所、［平成30年8月28日検索］、インターネット<URL: http://itdoc.hitachi.co.jp/manuals/3020/30203K2143/AJSF0016.HTM>
【非特許文献２】cloudiss、［online］、2015年11月、Cerevo、［平成30年8月28日検索］、インターネット<URL:https://cloudiss.cerevo.com/ja/>
【発明の概要】
【発明が解決しようとする課題】
【０００７】
ＩＴ部門は、動画視聴のような広帯域の（大きな帯域を使用する）トラフィックが発生するネットワーク利用について、利用者からの事前の通知があれば、輻輳が発生しないように、ネットワークの設定（ネットワーク構成の変更）を行うことができる。しかしながら、利用者個人の予定としてスケジューラに登録されているだけで、事前の通知がない場合には、ＩＴ部門は対応できない。この結果、広帯域のトラフィックにより、輻輳が発生してしまい、利用者本人のネットワーク利用にとどまらず、他の利用者のネットワーク利用についても、遅延やデータの欠落が生じてしまうという問題が発生する。
【０００８】
また、モバイル端末の紛失や盗難については、ネットワーク利用者からの通知を受けてからＩＴ部門が、モバイル端末の利用停止の設定を行っている。ネットワーク利用者が、紛失や盗難に気がつかない、または、気がついても通知を怠れば、モバイル端末の利用可能な状態が継続し、組織のネットワークへの不正アクセスや犯罪に利用される可能性が出てくる。
【０００９】
本発明は、このような背景を鑑みてなされたものであって、予定されているネットワーク利用情報を収集してネットワークの利用状況を予測し、ネットワークの利用状況に応じた適切なネットワーク構成に設定することを可能とするネットワーク設定装置およびネットワーク設定方法を提供することを課題とする。
【課題を解決するための手段】
【００１０】
前記した課題を解決するため、請求項１に記載の発明は、ネットワークの構成を変更するネットワーク設定装置であって、前記ネットワークの利用者のスケジュール情報から、前記ネットワークを利用するイベントの予定を取得するスケジュール情報収集部と、前記イベントの予定から、前記ネットワークの利用状況を予測し、前記利用が可能となるように前記ネットワークの構成を変更するネットワーク設定部とを備えることを特徴とするネットワーク設定装置とした。
【００１１】
また、請求項７に記載の発明は、ネットワークの構成を変更するネットワーク設定装置のネットワーク設定方法であって、前記ネットワーク設定装置が、前記ネットワークの利用者のスケジュール情報から、前記ネットワークを利用するイベントの予定を取得するステップと、前記イベントの予定から、前記ネットワークの利用状況を予測し、前記利用が可能となるように前記ネットワークの構成を変更するステップとを実行することを特徴とするネットワーク設定方法とした。
【００１２】
このような構成にすることで、ネットワーク設定装置は、スケジュール情報に記載されたネットワーク利用に対応するようにネットワーク構成を変更する。このため、スケジュール情報に係る利用者は、イベントに対応したネットワーク利用が可能になる。
【００１３】
請求項２に記載の発明は、前記ネットワーク設定部が、前記イベントの実施期間における前記ネットワークに流れるトラフィックの経路と帯域を算出して、前記トラフィックの経路と帯域から前記ネットワークを構成するリンクの使用帯域を算出し、前記使用帯域が所定の値を超える場合には、前記リンクを流れるトラフィックのなかにある一部のトラフィックの経路を変更するように前記ネットワークの構成を変更することを特徴とする請求項１に記載のネットワーク設定装置とした。
【００１４】
このような構成にすることで、ネットワーク設定装置は、イベントに伴い新たなトラフィックが発生しても、輻輳が発生することがないように、ネットワーク構成を変更する。大きな帯域を使用するネットワーク利用を伴うイベントであっても、利用者は、通信遅延が小さい一定品質のネットワーク利用が可能となる。
【００１５】
請求項３に記載の発明は、前記ネットワーク設定部が、前記ネットワークの構成を変更する変更案を複数生成して出力し、選択された前記変更案のネットワークの構成に変更することを特徴とする請求項２に記載のネットワーク設定装置とした。
【００１６】
このような構成にすることで、ネットワーク管理者は、ネットワーク設定装置が出力した複数のネットワーク構成変更案のなかで、最良の変更案を採用することができる。また、ネットワーク管理者は、事前にネットワーク構成の変更内容を知ることができる。
【００１７】
請求項４に記載の発明は、前記ネットワーク設定部が、前記イベントが、前記ネットワークを構成し、前記利用者が利用するモバイル端末を利用するイベントである場合に、前記イベントの実施期間中における前記モバイル端末が利用可能であるように前記ネットワークの構成を変更することを特徴とする請求項１に記載のネットワーク設定装置とした。
【００１８】
このような構成にすることで、ネットワーク設定装置は、モバイル端末の利用を制限できるようになる。利用者からの通知がなくても、紛失や盗難などにより所在不明となったモバイル端末の利用制限が可能となり、モバイル端末の不正利用を抑止することができる。
【００１９】
請求項５に記載の発明は、ネットワークの構成を変更するネットワーク設定装置であって、前記ネットワークの利用者のスケジュール情報から、前記ネットワークを利用するイベントの予定を取得するスケジュール情報収集部と、前記イベントの実施期間における前記ネットワークに流れるトラフィックの経路と帯域を算出して、前記トラフィックの経路と帯域から前記ネットワークを構成するリンクの使用帯域を算出し、前記使用帯域が所定の値を超える場合には、前記リンクを流れるトラフィックのなかにある一部のトラフィックの経路を変更する前記ネットワークの構成の変更案と、前記使用帯域が所定の値を超えるリンクの速度を変更する前記ネットワークの構成の変更案とを生成して出力し、前記トラフィックの経路を変更する前記ネットワークの構成の変更案の選択を受け付けた場合には、当該トラフィックの経路を変更するように前記ネットワークの構成を変更するネットワーク設定部とを備えることを特徴とするネットワーク設定装置とした。
【００２０】
このような構成にすることで、ネットワーク設定装置は、イベントに伴い新たなトラフィックが発生しても、輻輳が発生することがないように、リンクの速度を変更するネットワーク構成の変更案と、トラフィックの経路を変更するネットワーク構成の変更案とをネットワーク管理者に提示する。ネットワーク管理者がトラフィックの経路を変更する変更案を選択した場合には、ネットワーク設定装置は、ネットワーク構成の変更を行う。ネットワーク管理者は、リンクの速度の変更を含む複数のネットワーク構成変更案のなかで、最良の変更案を採用することができる。また、ネットワーク管理者は、事前にネットワーク構成の変更内容を知ることができる。
【００２１】
請求項６に記載の発明は、前記ネットワーク設定部が、前記ネットワークの構成の変更後における前記リンクの使用帯域率を算出して変更案を生成して出力することを特徴とする請求項５に記載のネットワーク設定装置とした。
【００２２】
このような構成にすることで、ネットワーク管理者は、ネットワーク設定装置が出力した変更後のリンクの使用帯域率を参照しながら変更案を比較して選択できるようになり、より適切な選択ができるようになる。
【発明の効果】
【００２３】
本発明によれば、予定されているネットワーク利用情報を収集してネットワークの利用状況を予測し、ネットワークの利用状況に応じた適切なネットワーク構成に設定することを可能とするネットワーク設定装置およびネットワーク設定方法を提供することができる。
【図面の簡単な説明】
【００２４】
【図１】第１の実施形態に係るネットワーク設定装置の設定対象となるネットワークの構成を説明するための図である。
【図２】第１の実施形態に係り、リンクを流れる時間帯別の通信量を示す図である。
【図３】第１の実施形態に係るネットワーク設定装置の全体構成を示す図である。
【図４】第１の実施形態に係るネットワーク設定装置の構成要素間でやり取りされるデータの流れを示す図である。
【図５】第１の実施形態に係る設備情報データベースのデータ構成を例示する図である。
【図６】第１の実施形態に係るリンク情報データベースのデータ構成を例示する図である。
【図７】第１の実施形態に係るインフラ統計データベースのデータ構成を例示する図である。
【図８】第１の実施形態に係るスケジュール情報データベースのデータ構成を例示する図である。
【図９】第１の実施形態に係るサービス情報データベースのデータ構成を例示する図である。
【図１０】第１の実施形態に係るリンクコスト情報データベースのデータ構成を例示する図である。
【図１１】第１の実施形態に係る変更案比較表のデータ構成を例示する図である。
【図１２】第１の実施形態に係るネットワーク構成変更処理のフローチャートである。
【図１３】第１の実施形態に係る、「ストレージ」のトラフィックをインターネット経由に変更する場合のトラフィックの経路を示す図である。
【図１４】第１の実施形態に係る、講演視聴中にリンクを流れるデータの帯域を示す図である。
【図１５】第１の実施形態に係る、講演視聴のトラフィックをインターネット経由に変更する場合のトラフィックの経路を示す図である。
【図１６】第１の実施形態に係る、講演視聴中にリンクを流れるデータの帯域を示す図である。
【図１７】第２の実施形態に係るネットワーク設定装置の全体構成を示す図である。
【図１８】第２の実施形態に係るモバイル端末データベースのデータ構成を例示する図である。
【図１９】第２の実施形態に係るスケジュール情報データベースに格納されるデータを説明するための図である。
【図２０】第２の実施形態に係るネットワーク構成変更処理のフローチャートである。
【発明を実施するための形態】
【００２５】
≪第１の実施形態：予測される輻輳（リンクの帯域を超過するトラフィック）への対応≫
本発明を実施するための第１の実施形態であるネットワーク設定装置を説明する前に、第１の実施形態におけるネットワーク構成、輻輳が発生する状況、および輻輳を回避するためのネットワーク設定の概要を説明する。
【００２６】
≪第１の実施形態：ネットワーク構成≫
図１は、第１の実施形態に係るネットワーク設定装置の設定対象となるネットワーク９００の構成を説明するための図である。図１を参照しながら、ネットワーク構成とネットワークを流れるデータについて説明する。
拠点Ｓ９３１には、拠点ＣＰＥ（Customer Premises Equipment）９１１が設置されており、専用線９２１とはリンクＬ９４１で、インターネット９２２とはリンクＬ９４２で接続されている。拠点Ｓ９３１には端末Ｔ９０１が存在し、ＬＡＮ経由で拠点ＣＰＥ９１１と接続されている。
【００２７】
拠点Ｓ９３２には、拠点ＣＰＥ９１２が設置されており、専用線９２１とはリンクＬ９４３で、インターネット９２２とはリンクＬ９４４で接続されている。拠点Ｓ９３２には端末Ｔ９０２が存在し、ＬＡＮ経由で拠点ＣＰＥ９１２と接続されている。
【００２８】
なお、以下では、拠点Ｓ９３１，Ｓ９３２にある端末を総称して端末Ｔ９１０とも記す。拠点Ｓ９３１にある端末Ｔ９１０はＬＡＮ経由で拠点ＣＰＥ９１１に接続されている。拠点Ｓ９３２にある端末Ｔ９１０はＬＡＮ経由で拠点ＣＰＥ９１２に接続されている。
【００２９】
動画サーバ９１３は、端末Ｔ９１０に向けて動画を配信するサーバであり、専用線９２１とはリンクＬ９５１で、インターネット９２２とはリンクＬ９５３で接続されている。ストレージサーバ９１４は、端末Ｔ９１０に対してストレージサービスを提供するサーバであり、専用線９２１とはリンクＬ９５２で、インターネット９２２とはリンクＬ９５４で接続されている。
【００３０】
≪第１の実施形態：ネットワークを流れるデータ≫
トラフィックＴＲ０１は、端末Ｔ９０１の利用者が、動画サーバ９１３のコンテンツを視聴するときに発生するネットワーク上のトラフィック（データの流れ）であり、拠点Ｓ９３１のＬＡＮ、拠点ＣＰＥ９１１、リンクＬ９４１、専用線９２１およびリンクＬ９５１を経由している。また、トラフィックＴＲ０２は、端末Ｔ９０２の利用者が、動画サーバ９１３のコンテンツを視聴するときに発生するネットワーク上のトラフィックであり、拠点Ｓ９３２のＬＡＮ、拠点ＣＰＥ９１２、リンクＬ９４３、専用線９２１およびリンクＬ９５１を経由している。動画が４Ｋ解像度のビデオ画像であれば、トラフィックＴＲ０１，ＴＲ０２それぞれの帯域は２０Ｍｂｐｓである。
【００３１】
トラフィックＴＲ０３は、拠点Ｓ９３１の端末Ｔ９１０の利用者が、ストレージサーバ９１４にアクセスするときに発生するネットワーク上のトラフィックであって、拠点Ｓ９３１のＬＡＮ、拠点ＣＰＥ９１１、リンクＬ９４１、専用線９２１およびリンクＬ９５２を経由している。また、トラフィックＴＲ０４は、拠点Ｓ９３２の端末Ｔ９１０の利用者が、ストレージサーバ９１４にアクセスするときに発生するネットワーク上のトラフィックであり、拠点Ｓ９３２のＬＡＮ、拠点ＣＰＥ９１２、リンクＬ９４３、専用線９２１およびリンクＬ９５２を経由している。トラフィックＴＲ０３，ＴＲ０４の平均的な帯域は、それぞれ２５Ｍｂｐｓである。
【００３２】
インターネット９２２と比べて専用線９２１は、高価で高品質であり、ＩＴ部門は、可能な限りトラフィックが専用線９２１を流れるように、ネットワークを設定している。このために、リンクＬ９４１，Ｌ９４３の使用率は高く、輻輳が発生しやすい。このため、ＩＴ部門は、ネットワーク利用を予測して、リンクＬ９４１，Ｌ９４３で輻輳が発生しないようにしている。
【００３３】
図２は、第１の実施形態に係り、リンクＬ９４１，Ｌ９４３を流れる時間帯別の通信量を示す図である。図２を参照しながら、動画視聴時の通信量（トラフィックの帯域）の変化を説明する。なお、以下の図２の説明においては、１０時〜１１時に、端末Ｔ９０１，Ｔ９０２それぞれの利用者が、動画サーバ９１３上にある４Ｋ解像度のビデオ画像を視聴するとする。
【００３４】
９時〜１０時にリンクＬ９４１，Ｌ９４３を流れる通信量は、３５Ｍｂｐｓである。この３５Ｍｂｐｓのトラフィックには、ストレージサーバ９１４向けのトラフィックＴＲ０３，ＴＲ０４（図１参照）が含まれ、それぞれ２５Ｍｂｐｓである。また、この３５Ｍｂｐｓのトラフィックには、拠点ＣＰＥ９１１、リンクＬ９４１、専用線９２１、リンクＬ９４３、拠点ＣＰＥ９１２を経由する拠点Ｓ９３１，Ｓ９３２間のデータなど１０Ｍｂｐｓのトラフィックが含まれている。
【００３５】
１０時〜１１時には、端末Ｔ９０１，Ｔ９０２それぞれの利用者が、動画サーバ９１３上にある４Ｋ解像度のビデオ画像を視聴するために、トラフィックＴＲ０１，ＴＲ０２（図１参照）が発生し、リンクＬ９４１，Ｌ９４３の通信量がそれぞれ２０Ｍｂｐｓ増加する。
【００３６】
１１時〜１２時には、トラフィックＴＲ０１，ＴＲ０２がなくなり、リンクＬ９４１，Ｌ９４３の使用量は、９時〜１０時の３５Ｍｂｐｓに戻る。
リンクＬ９４１，Ｌ９４３の帯域が５５Ｍｂｐｓより小さければ、１０時〜１１時に輻輳が発生してしまい、データ欠落や通信遅延が発生してしまう。端末Ｔ９０１，Ｔ９０２の利用者だけではなく、拠点Ｓ９３１，Ｓ９３２の利用者全体に影響を及ぼす可能性がある。
【００３７】
１０時〜１１時のビデオ視聴が予め分かっていれば、ＩＴ部門は、リンクＬ９４１，Ｌ９４３を流れるトラフィックの一部を、専用線９２１ではなく、リンクＬ９４２，Ｌ９４４およびインターネット９２２を経由するように切り替えることで、リンクＬ９４１，Ｌ９４３の使用量を下げることができ、結果として輻輳を防止することができるようになる。
【００３８】
≪第１の実施形態：ネットワーク設定装置の概要≫
本発明の実施形態であるネットワーク設定装置は、利用者が登録したスケジュール情報のなかでネットワーク９００の利用に係る情報を取得して、利用状況（トラフィック）を予測する。次に、ネットワーク設定装置は、利用状況に応じたネットワーク構成の変更案（トラフィックの経路の変更案やリンク速度（帯域）の変更案）を生成して、ＩＴ部門のネットワーク管理者に提示する。続いて、ネットワーク設定装置は、スケジュールに合わせて、ネットワーク管理者が選択したネットワーク構成の変更案に合致するように、ネットワーク設定を実行する。以下では、ネットワーク設定装置の構成、および、スケジュール情報の取得からネットワーク構成の変更案の生成、ネットワーク設定までの処理を説明する。
【００３９】
≪第１の実施形態：ネットワーク設定装置の全体構成≫
図３は、第１の実施形態に係るネットワーク設定装置１００の全体構成を示す図である。図４は、第１の実施形態に係るネットワーク設定装置１００の構成要素間でやり取りされるデータの流れを示す図である。図３および図４を参照しながら、ネットワーク設定装置１００の全体構成を説明する。
【００４０】
ネットワーク設定装置１００は、ＣＰＵ（Central Processing Unit）から構成される制御部１１０、ＲＡＭ（Random Access Memory）やＳＳＤ（Solid State Drive）などから構成される記憶部１２０および入出力部１０５を含んで構成される。入出力部１０５は、ネットワーク管理者が利用するキーボードやディスプレイ（不図示）を備える。また、入出力部１０５は、後記するネットワーク管理装置３１０およびスケジュール管理サーバ３２０との通信データを、ネットワーク９００を介してやり取りする通信デバイス（不図示）を備える。
【００４１】
ネットワーク管理装置３１０は、拠点ＣＰＥ９１１，９１２などの通信装置やリンクＬ９４１〜Ｌ９４４などの設定や監視を行う装置である。設定の変更を行うことで、特定のアプリケーション（サービス）に係るトラフィックの経路を変更するができる。また、ネットワーク管理装置３１０は、監視のためにリンクを流れるトラフィックの統計（トラフィックの帯域情報など）を取得している。
スケジュール管理サーバ３２０は、ネットワーク９００の利用者のスケジュール情報を蓄積している。
【００４２】
≪第１の実施形態：ネットワーク設定装置の全体構成：制御部の構成≫
制御部１１０は、インフラ情報収集部１１１、スケジュール情報収集部１１２、データ分析部１１３、データ評価部１１４およびインフラ設定部１１５を備える。なお、データ分析部１１３とデータ評価部１１４とインフラ設定部１１５とを合わせてネットワーク設定部とも記す。
【００４３】
インフラ情報収集部１１１は、ネットワーク管理装置３１０から、端末Ｔ９１０の利用者やネットワーク構成、ネットワークの利用状況（統計情報）を取得して、後記する設備情報データベース（図３では、設備情報ＤＢ（Database）と記載）１３０（後記する図５参照）、インフラ構成データベース１２５およびインフラ統計データベース１５０（後記する図７参照）に格納する。なお、インフラ情報収集部１１１は、ネットワーク管理装置３１０に限らず別の装置、例えば、ディレクトリサーバや設備情報管理サーバなどから設備情報を取得してもよい。
【００４４】
スケジュール情報収集部１１２は、スケジュール管理サーバ３２０からネットワーク利用に係るスケジュール情報を取得して、後記するスケジュール情報データベース１６０（後記する図８参照）に格納する。
データ分析部１１３は、インフラ情報収集部１１１やスケジュール情報収集部１１２が取得した情報から、ネットワーク９００の利用状況を予測し、利用状況に応じたネットワーク構成の変更案を生成する。
【００４５】
データ評価部１１４は、データ分析部１１３が生成したネットワーク構成の変更案それぞれについて評価を行い、変更案比較表１９０（後記する図１１参照）を生成して、ネットワーク管理者に提示する。
インフラ設定部１１５は、ネットワーク管理者が選択した変更案にネットワーク設定を変更するように、ネットワーク管理装置３１０に指示する。指示には、設定変更を実行する変更時刻も含まれる。
【００４６】
≪第１の実施形態：ネットワーク設定装置の全体構成：記憶部の構成≫
記憶部１２０は、設備情報データベース１３０、インフラ構成データベース１２５、インフラ統計データベース１５０、スケジュール情報データベース１６０、サービス情報データベース１７０、リンクコスト情報データベース１８０および変更案比較表１９０を含んで構成される。また、記憶部１２０は、後記するネットワーク構成変更処理（図１２参照）を制御部１１０が実行するためのプログラム（不図示）を記憶する。
【００４７】
インフラ構成データベース１２５は、リンク情報データベース１４０（後記する図６参照）を含めたネットワーク９００の構成を記憶しているデータベースである。以下、図５〜図１１を参照しながら、設備情報データベース１３０、リンク情報データベース１４０、インフラ統計データベース１５０、スケジュール情報データベース１６０、サービス情報データベース１７０、リンクコスト情報データベース１８０および変更案比較表１９０を説明する。
【００４８】
≪第１の実施形態：ネットワーク設定装置の全体構成：設備情報データベースの構成≫
図５は、第１の実施形態に係る設備情報データベース１３０のデータ構成を例示する図である。設備情報データベース１３０は、例えば表形式のデータであって、１つの行（レコード）は、端末Ｔ９１０を示し、端末１３１、利用者１３２および拠点１３３の列（属性）を含む。
【００４９】
端末１３１は、レコードが示している端末の識別情報である。利用者１３２は、レコードが示す端末の利用者の識別情報である。拠点１３３はレコードが示す端末が設置されている拠点の識別情報である。
レコード１３９は、識別情報が「Ｔ９０１」である端末について、端末の利用者の識別情報は「Ｐ４３４９」であり、識別情報が「Ｓ９３１」である拠点Ｓ９３１に設置されていることを示す。
【００５０】
≪第１の実施形態：ネットワーク設定装置の全体構成：リンク情報データベースの構成≫
図６は、第１の実施形態に係るリンク情報データベース１４０のデータ構成を例示する図である。リンク情報データベース１４０は、例えば表形式のデータであって、１つの行（レコード）は、１本のリンクを示し、リンク１４１、速度１４２および接続点１４３の列（属性）を含む。
【００５１】
リンク１４１は、レコードが示すリンクの識別情報である。速度１４２は、リンクの速度（帯域）であって、単位はＭｂｐｓである。接続点１４３は、リンクの接続する拠点やサーバ、ネットワークを示し、その識別情報が含まれている。
レコード１４９は、識別情報が「Ｌ９４１」であるリンクについて、速度は４０Ｍｂｐｓであって、拠点Ｓ９３１と専用線９２１とを接続していることを示す。
【００５２】
≪第１の実施形態：ネットワーク設定装置の全体構成：インフラ統計データベースの構成≫
図７は、第１の実施形態に係るインフラ統計データベース１５０のデータ構成を例示する図である。インフラ統計データベース１５０は、例えば表形式のデータであって、１つの行（レコード）は、リンクに流れるトラフィックの帯域（通信量）の統計データであって、リンク別、期間別、トラフィックの種別別の帯域を示す。レコードは、リンク１５１、期間１５２、種別１５３、平均１５４、最大１５５および昼間１５６の列（属性）を含む。
【００５３】
リンク１５１は、統計データが取得されたリンクの識別情報である。期間１５２は、統計データが取得された期間を示す。
種別１５３は、通信先やアプリケーション、サービスを示すトラフィックの種別であって、例えば、ストレージサーバ９１４（図１参照）が送信先または送信元であるトラフィックを示す「ストレージ」やインターネット９２２上のＷｅｂサーバへのアクセスを示す「Ｗｅｂ」、全ての種別のトラフィックを示す「全体」などがある。
【００５４】
期間１５２に示される期間にリンク１５１に示されるリンク上を流れた種別１５３に示される種別のトラフィックの帯域について、平均１５４、最大１５５および昼間１５６は、それぞれ平均値、最大値および昼間の平均値を示す。なお、昼間の平均値とは、業務時間における平均値である。
【００５５】
レコード１５９Ａは、リンクＬ９４１における２０１８年６月における全体のトラフィックの帯域について、平均値は１３Ｍｂｐｓ、最大値は４０Ｍｂｐｓ、昼間の平均値は３５Ｍｂｐｓであったことを示している。次に、レコード１５９Ｂは、リンクＬ９４１における２０１８年６月の「ストレージ」のトラフィックについて、平均値は９Ｍｂｐｓ、最大値は３０Ｍｂｐｓ、昼間の平均値は２５Ｍｂｐｓであったことを示している。
【００５６】
また、レコード１５９Ｃは、リンクＬ９４１における２０１８年６月の「ストレージ以外」のトラフィックの帯域について、平均値は４Ｍｂｐｓ、最大値は１５Ｍｂｐｓ、昼間の平均値は１５Ｍｂｐｓであったことを示している。最大値（ピーク値）になる時間が、「ストレージ」と「ストレージ以外」で異なるため、最大１５５は、「全体」（レコード１５９Ａ）と「ストレージ」（レコード１５９Ｂ）との差になっていない。昼間においては、リンクＬ９４１を流れる「ストレージ」以外のトラフィックの使用量は１０Ｍｂｐｓであることが判り、ストレージサーバ９１４へのアクセスである「ストレージ」のトラフィックが主要なデータであることが判る。
【００５７】
≪第１の実施形態：ネットワーク設定装置の全体構成：スケジュール情報データベースの構成≫
図８は、第１の実施形態に係るスケジュール情報データベース１６０のデータ構成を例示する図である。スケジュール情報データベース１６０は、例えば表形式のデータであって、１つの行（レコード）は、スケジュール管理サーバ３２０（図１参照）に登録されている１つのイベントのスケジュール情報（予定）を示し、利用者１６１、期間１６２および登録情報１６３の列（属性）を含む。
【００５８】
利用者１６１は、利用者の識別情報であって、スケジュール情報がどの利用者のイベントかを示す。期間１６２は、スケジュール情報が示すイベントの期間（開始時刻と終了時刻）を示す。登録情報１６３は、スケジュール情報が示すイベントの内容である。
【００５９】
登録情報１６３は、ネットワーク利用を示すキーワードを含む。例えば、「＃Ｖ−４Ｋ」は、４Ｋ解像度のビデオ画像を視聴すること（イベント）を示している。また、「＃動画サーバ」は、動画サーバ９１３（図１参照）を示している。他のキーワードについては、後記する図９で説明する。
レコード１６９Ａは、識別情報が「Ｐ４３４９」で示される利用者の２０１８年７月５日の１０時から１１時までの予定であって、動画サーバ９１３（図１参照）にある４Ｋ解像度のビデオ画像を視聴するイベントを示している。
【００６０】
≪第１の実施形態：ネットワーク設定装置の全体構成：サービス情報データベースの構成≫
図９は、第１の実施形態に係るサービス情報データベース１７０のデータ構成を例示する図である。サービス情報データベース１７０は、例えば表形式のデータであって、１つの行（レコード）は、１つのサービスの情報を示し、サービス１７１、使用帯域１７２およびキーワード１７３の列（属性）を含む。
【００６１】
サービス１７１は、サービスの名称である。使用帯域１７２は、サービスが使用するネットワーク（トラフィック）の帯域を示す。キーワード１７３は、サービスの通称であり、スケジュール情報の登録情報１６３（図８参照）に含まれる「＃」を除くキーワードである。
レコード１７９は、４Ｋ解像度の動画配信のサービスについて、使用する帯域は２０Ｍｂｐｓであって、通称は「Ｖ−４Ｋ」であることを示している。
【００６２】
≪第１の実施形態：ネットワーク設定装置の全体構成：リンクコスト情報データベースの構成≫
図１０は、第１の実施形態に係るリンクコスト情報データベース１８０のデータ構成を例示する図である。リンクコスト情報データベース１８０は、例えば表形式のデータであって、１つの行（レコード）は、１本のリンクについて、速度（帯域）変更に係る情報を示し、種別１８１、リンク１８２、速度１８３、月額１８４、工事費１８５および工事期間１８６の列（属性）を含む。
【００６３】
種別１８１は、リンクの種別を示し、「専用線」、「インターネット」などがある。リンク１８２は、リンク速度を変更するリンクの識別情報を示す。速度１８３は、速度変更後の速度を示す。月額１８４は、速度変更後の月額使用料金を示す。工事費１８５および工事期間１８６は、速度変更工事の費用および期間をそれぞれ示す。
【００６４】
レコード１８９は、専用線９２１に接続するリンクＬ９４１のリンク速度を１００Ｍｂｐｓに変更する工事について費用は１万円、期間は１月であって、月額使用料金は４万円であることを示している。現在のリンクＬ９４１のリンク速度は４０Ｍｂｐｓ（図６のレコード１４９参照）であるので、月額使用料金は２万円の増額になることが判る。
【００６５】
≪第１の実施形態：ネットワーク設定装置の全体構成：変更案比較表の構成≫
図１１は、第１の実施形態に係る変更案比較表１９０のデータ構成を例示する図である。変更案比較表１９０は、例えば表形式のデータであって、１つの行（レコード）は、１つのネットワーク構成変更案を示し、変更内容１９１、工事費１９２、月額費増分１９３、合計費用１９４、変更時間１９５、平均使用率１９６、最大使用率１９７および総合スコア１９８の列（属性）を含む。
【００６６】
変更内容１９１は、ネットワーク構成変更案の内容を示す。工事費１９２は、ネットワーク構成変更にかかる工事費用を示す。月額費増分１９３は、変更による月額使用料金の増分を示す。
合計費用１９４は、ネットワーク構成変更後の３月における費用の増分であって、工事費１９２＋３×月額費増分１９３の式を用いて算出される。変更時間１９５は、ネットワーク構成変更に要する時間である。
【００６７】
平均使用率１９６および最大使用率１９７は、ネットワーク構成変更後の予想されるリンクＬ９４１，Ｌ９４３の高い方の平均使用率および最大使用率をそれぞれ示し、単位は百分率（％）である。
総合スコア１９８は、ネットワーク構成変更案のスコアであり、合計費用１９４／１００００＋変更時間１９５＋平均使用率１９６／１００＋最大使用率１９７の式を用いて算出される。変更時間１９５は分換算であって、１月は４万分とする。総合スコア１９８が小さい方が、合計費用１９４や平均使用率１９６、最大使用率１９７が低く、変更時間１９５が短いため、より良い変更案となる。
レコード１９９Ａ〜１９９Ｃについては、図１２のステップＳ１１０で説明する。
【００６８】
≪第１の実施形態：ネットワーク構成変更処理≫
図１２は、第１の実施形態に係るネットワーク構成変更処理のフローチャートである。図１２を参照しながら、ネットワーク設定装置１００が実行するネットワーク構成変更処理を説明する。ネットワーク構成変更には、リンク速度の変更およびトラフィックの経路変更の２種類がある。ネットワーク構成変更処理は、所定のタイミング、例えば定期的に実行される。
【００６９】
ステップＳ１０１において、スケジュール情報収集部１１２は、スケジュール管理サーバ３２０にアクセスして、所定値より大きな帯域を使用する（所定値より通信量の多い）ネットワーク利用を伴うイベントのスケジュール情報を収集して、スケジュール情報データベース１６０（図８参照）に格納する。大きな帯域を使用するネットワーク利用を伴うイベントとは、サービス情報データベース１７０（図９参照）のキーワード１７３に含まれるキーワードが、スケジュール情報（登録情報１６３）に記載されたイベントである。以下では、図８に示される３つのイベントのスケジュール情報が収集されたとして、説明を続ける。
【００７０】
ステップＳ１０２において、ステップＳ１０１で所定値より大きな帯域を使用するネットワーク利用を伴うイベントがあれば（ステップＳ１０２→Ｙ）ステップＳ１０３に進み、なければ（ステップＳ１０２→Ｎ）ネットワーク構成変更処理を終了する。
ステップＳ１０３において、データ分析部１１３は、イベントに応じて、ネットワーク構成を変更する期間を決定する。図８に示される３つのイベントの期間１６２は、２０１８年７月５日の１０時〜１１時が２件と１３時〜１５時の１件である。このため、データ分析部１１３は、期間を２０１８年７月５日の１０時〜１１時と、同日の１３時〜１５時と決定する。
【００７１】
ステップＳ１０４において、データ分析部１１３は、ステップＳ１０３で決定した期間ごとに、ステップＳ１０５〜Ｓ１１２の処理を繰り返す。以下では、繰り返す個々の処理の対象となる期間を処理対象期間と記す。図８に記載された３つのイベントの例では、２回繰り返すことになる。以下のステップＳ１０５〜Ｓ１１２の説明では、２０１８年７月５日の１０時〜１１時を例として説明する。
【００７２】
ステップＳ１０５において、データ分析部１１３は、リンクＬ９４１，Ｌ９４３の処理対象期間における予想使用帯域を算出する。リンクＬ９４１の通常の使用量は、３５Ｍｂｐｓである（図７のレコード１５９Ａ参照）。
【００７３】
図８のレコード１６９Ａに示されるイベントは、識別情報が「Ｐ４３４９」である利用者による動画サーバ９１３にある４Ｋ解像度の講演視聴である。この利用者が利用する端末は、拠点Ｓ９３１にある端末Ｔ９０１である（図５のレコード１３９参照）。このため、リンクＬ９４１においては、２０Ｍｂｐｓの帯域（図１のトラフィックＴＲ０１および図９のレコード１７９参照）が増加することになる。このため、処理対象期間におけるリンクＬ９４１の予想使用帯域は５５Ｍｂｐｓと予想される。同様にして、処理対象期間におけるリンクＬ９４３の予想使用帯域も５５Ｍｂｐｓと予想される。
【００７４】
図１２に戻り、説明を続ける。ステップＳ１０６において、データ分析部１１３は、予想使用帯域がリンクの帯域を超過するリンクがあるか判断して、リンクがあれば（ステップＳ１０６→Ｙ）ステップＳ１０７に進み、なければ（ステップＳ１０６→Ｎ）ステップＳ１１３に進む。リンクＬ９４１，Ｌ９４３の速度は４０Ｍｂｐｓ（図６参照）であるため、帯域超過となるのでステップＳ１０７に進む。
【００７５】
ステップＳ１０７において、データ分析部１１３は、リンクＬ９４１，Ｌ９４３を通過する使用量の大きいトラフィック（アプリケーション（サービス）のデータの流れ）を抽出する。リンクＬ９４１については、平均的に使用量の大きいトラフィックは「ストレージ」の２５Ｍｂｐｓであると予想される（図７のレコード１５９Ｂ参照）。この「ストレージ」の２５Ｍｂｐｓと、講演視聴の２０Ｍｂｐｓとが使用量の大きいトラフィックとなる。リンクＬ９４３についても同様である。
【００７６】
ステップＳ１０８において、データ分析部１１３は、ネットワーク構成の変更案を導出する。変更案には、帯域が超過するリンクの速度を上げる案、使用量の大きいトラフィックが別のリンクを流れるように経路を変更する案がある。
【００７７】
リンクＬ９４１については、３つの案が導出される。変更案１は、リンク速度を４０Ｍｂｐｓから１００Ｍｂｐｓ（図１０のレコード１８９参照）に変更する案である。リンク速度を変更には、工事が伴うため、処理対象期間の間だけ変更することはできず、変更したリンクを使い続けることになる。
変更案２は、処理対象期間の間、ストレージサーバ９１４にアクセスする「ストレージ」のトラフィックを、専用線９２１ではなくインターネット９２２経由になるように、拠点ＣＰＥ９１１の設定を変更する案である。
【００７８】
変更案３は、動画サーバ９１３にアクセスする講演視聴のトラフィックを、専用線９２１ではなくインターネット９２２経由になるように、拠点ＣＰＥ９１１の設定を変更する案である。
リンクＬ９４３についても、同様にして、リンク速度を変更する変更案４、「ストレージ」のトラフィックの経路を変更する変更案５、および講演視聴のトラフィックの経路を変更する変更案６が導出される。
【００７９】
リンクＬ９４１，Ｌ９４３の両方の帯域超過を解決するために、変更案１〜３それぞれについて、変更案４〜６を組み合わせる９通りの変更案が導出される。データ分析部１１３は、リンク速度変更という共通点がある変更案１，４を組み合わせ、「ストレージ」のトラフィックを変更するという共通点がある変更案２，５を組みわせ、さらに、講演視聴のトラフィックを変更するという共通点がある変更案３，６を組み合わせて、合計３つの変更案を導出する。以下では、変更案１，４、変更案２，５および変更案３，６のそれぞれの組み合わせを変更案１、変更案２および変更案３と記す。
【００８０】
図１３は、第１の実施形態に係る、「ストレージ」のトラフィックをインターネット９２２経由に変更する場合のトラフィックの経路を示す図である。講演視聴のトラフィックＴＲ０１，ＴＲ０２は、それぞれリンクＬ９４１，Ｌ９４３上を流れる。一方、「ストレージ」のトラフィックＴＲ０３，ＴＲ０４は、それぞれリンクＬ９４２，Ｌ９４４上を流れる。
【００８１】
図１４は、第１の実施形態に係る、講演視聴中にリンクＬ９４１，Ｌ９４３を流れるデータの帯域を示す図である。講演視聴中にリンクＬ９４１には、２０Ｍｂｐｓの講演視聴のトラフィックＴＲ０１と、１０Ｍｂｐｓの「ストレージ以外」のトラフィック（図７のレコード１５９Ｃの昼間１５６参照）が流れる。リンクＬ９４３についても同様である。
【００８２】
図１５は、第１の実施形態に係る、講演視聴のトラフィックをインターネット９２２経由に変更する場合のトラフィックの経路を示す図である。講演視聴のトラフィックＴＲ０１，ＴＲ０２は、それぞれリンクＬ９４２，Ｌ９４４上を流れる。一方、「ストレージ」のトラフィックＴＲ０３，ＴＲ０４は、それぞれリンクＬ９４１，Ｌ９４３上を流れる。
【００８３】
図１６は、第１の実施形態に係る、講演視聴中にリンクＬ９４１，Ｌ９４３を流れるデータの帯域を示す図である。講演視聴中にリンクＬ９４１には、２５Ｍｂｐｓの「ストレージ」のトラフィックＴＲ０１と、１０Ｍｂｐｓの「ストレージ以外」のトラフィックが流れる。リンクＬ９４３についても同様である。
【００８４】
図１２に戻り、説明を続ける。ステップＳ１０９において、データ分析部１１３は、ステップＳ１１０の処理を変更案ごとに繰り返す。
ステップＳ１１０において、データ評価部１１４は、ネットワーク構成変更案ごとに、工事費１９２、月額費増分１９３、合計費用１９４、変更時間１９５、平均使用率１９６、最大使用率１９７および総合スコア１９８（図１１参照）を算出する。以下、変更案１〜３のそれぞれの算出内容を説明する。
【００８５】
レコード１９９Ａは、変更案１を示すレコードである。工事費１９２は、リンクＬ９４１，９４３の工事費１８５（図１０参照）の和である。月額費増分１９３は、リンクＬ９４１，９４３のそれぞれの月額利用料金が２万円から４万円への増額分２万円の合計である。合計費用１９４は、工事費１９２と３カ月分の月額費増分１９３である。変更時間１９５は、リンクＬ９４１，９４３ともに１月である。平均使用率１９６は、現在の平均が１３Ｍｂｐｓ（図７のレコード１５９Ａの平均１５４参照）であり、リンク速度が１００Ｍｂｐｓであることから算出する。最大使用率１９７は、講演視聴の２０Ｍｂｐｓと、「ストレージ」の３０Ｍｂｐｓ（レコード１５９Ｂの最大１５５参照）と、「ストレージ以外」の１５Ｍｂｐｓ（レコード１５９Ｃの最大１５５参照）の和である。総合スコア１９８は、合計費用１９４／１００００＋変更時間１９５＋平均使用率１９６／１００＋最大使用率１９７の式を用いて算出される。
【００８６】
レコード１９９Ｂは、変更案２を示すレコードである。拠点ＣＰＥ９１１，９１２の設定を変更すれば変更が実行されるので、工事費１９２、月額費増分１９３、合計費用１９４は０であって、変更時間１９５は１０分である。平均使用率１９６は、現在の平均が１３Ｍｂｐｓであり、リンク速度が４０Ｍｂｐｓであることから算出する。最大使用率１９７は、講演視聴の２０Ｍｂｐｓと、「ストレージ以外」の１５Ｍｂｐｓの和から算出される（（２０＋１５）／４０）。
【００８７】
レコード１９９Ｃは、変更案３を示すレコードである。工事費１９２、月額費増分１９３、合計費用１９４、変更時間１９５および平均使用率１９６は、変更案２と同様である。最大使用率１９７は、「ストレージ」の３０Ｍｂｐｓと、「ストレージ以外」の１５Ｍｂｐｓの和から算出される（（３０＋１５）／４０）。
【００８８】
ステップＳ１１１において、データ分析部１１３は、全ての変更案についてステップＳ１１０を実行したらステップＳ１１２に進み、残りがあれば、ステップＳ１１０を繰り返す。
ステップＳ１１２において、データ評価部１１４は、変更案ごとに算出した工事費１９２、月額費増分１９３、合計費用１９４、変更時間１９５、平均使用率１９６、最大使用率１９７および総合スコア１９８を１つの表にまとめて変更案比較表１９０を作成する。変更案１〜３では、データ評価部１１４は、図１１に示した３つのレコードからなる変更案比較表１９０を作成する。
【００８９】
ステップＳ１１３において、データ分析部１１３は、全ての処理対象期間についてステップＳ１０５〜Ｓ１１２を実行したらステップＳ１１４に進み、残りがあれば、ステップＳ１０５〜Ｓ１１２を繰り返す。
ステップＳ１１４において、データ評価部１１４は、ネットワーク管理者に、処理対象期間ごとの変更案比較表１９０を提示する。ネットワーク管理者は、処理対象期間ごとに１つの構成案（変更案）を選択する。
【００９０】
ステップＳ１１５において、インフラ設定部１１５は、ネットワーク管理者が選択した変更案がリンク工事をする案ではなく、ネットワーク設定を変更する案であれば、処理対象期間中に、ネットワーク構成（トラフィックの経路）を変更するように、ネットワーク管理装置３１０（図１参照）に指示する。詳しくは、インフラ設定部１１５は、処理対象期間前にトラフィックの経路を変更して、処理対象期間後に変更したトラフィックの経路を戻すように、ネットワーク管理装置３１０に指示する。
【００９１】
≪第１の実施形態：ネットワーク構成変更処理の特徴≫
ネットワーク設定装置１００は、スケジュール管理サーバ３２０から、所定値より大きな帯域を使用するネットワーク利用の予定を取得して、専用線９２１と拠点Ｓ９３１，Ｓ９３２とを接続するリンクＬ９４１，Ｌ９４３の帯域を超過するようなイベントを探索する。リンクＬ９４１，Ｌ９４３に着目する理由は、専用線９２１は、高品質ではあるが、インターネット９２２へのリンクＬ９４２，Ｌ９４４と比べて速度が遅く、輻輳が発生しやすいからである。このようなイベントの予定があれば、ネットワーク設定装置１００は、大きな帯域を使用するトラフィックの経路を変更して、高速なインターネット９２２を経由する変更案を生成してネットワーク管理者に提示し、ネットワーク管理者が選択した案に変更するようにネットワーク管理装置３１０に指示する。変更案には、リンクＬ９４１，Ｌ９４３の速度を変更する案も含まれる。
【００９２】
ネットワーク管理者に提示される変更案には、リンクの速度変更に伴う工事費用、リンク利用料金の増加金額、予想されるリンクＬ９４１，Ｌ９４３の使用率、および、これらの比較項目から算出した総合スコアが含まれる。ネットワーク管理者は、これらの比較項目を参照して、変更案を選択する。
【００９３】
従来までは、利用者からのネットワーク利用の予定の通知があれば、ネットワーク管理者は通信量（トラフィックの帯域）を予想して、ネットワーク構成を変更していた。ネットワーク設定装置１００を用いることで、利用者からの通知がなくても、ネットワーク管理者は、予定されているネットワーク利用に応じたネットワーク構成（トラフィックの経路）に変更することができ、輻輳が発生せず、イベントにあるネットワーク利用が可能となるようにネットワークを管理できる。また、ネットワーク管理者は、変更案を作成する必要はなく、提示された変更案から選択すればよいので、変更内容を検討する時間を短縮することができる。
【００９４】
≪第１の実施形態：変形例：変更案比較表≫
変更案比較表１９０は、専用線９２１に接続されるリンクの費用や使用率などの項目を含み、ネットワーク管理者は、これらの項目を比較して変更案を選択している。これらの項目の他に、変更案比較表１９０は、他のリンクの使用率やセキュリティに係る項目を含んでもよい。
【００９５】
第１の実施形態では、インターネット９２２に接続されるリンクＬ９４２，Ｌ９４４は、高速（広帯域）で使用率に余裕があるという前提で、変更案比較表１９０には含まれていなかった。ネットワーク設定装置１００は、変更案比較表１９０にリンクＬ９４２，Ｌ９４４の平均使用率１９６や最大使用率１９７を含めるようにしてもよい。
【００９６】
また、ネットワーク設定装置１００は、動画視聴、ストレージ、業務システムのアクセスなど、アプリケーション（サービス）やアクセス先などに基づいて優先度を設け、優先度の高いトラフィックが専用線９２１を通る経路が、インターネット９２２を通る経路よりスコアが良くなるように、総合スコア１９８を算出してもよい。
【００９７】
≪第１の実施形態：変形例：ネットワーク構成変更内容≫
第１の実施形態では、輻輳が予測される場合のネットワーク構成の変更として、トラフィックの経路を変更している。経路変更の他に、帯域の制限を行うようにしてもよい。例えば、ストレージサーバ９１４のアクセスについて、個々の端末Ｔ９１０のストレージサーバ９１４への帯域の上限を定めるようにしてもよい。
また、専用線９２１からインターネット９２２にトラフィックの経路を変更する場合に、トラフィックを暗号化（インターネットＶＰＮ（Virtual Private Network）の利用）してもよい。また、専用線９２１の他にＩＰ−ＶＰＮ（Internet Protocol Virtual Private Network）を用いてもよい。
【００９８】
≪第１の実施形態：変形例：トラフィックとリンクとの帯域比較≫
第１の実施形態では、データ分析部１１３は、リンクを通るトラフィックの帯域がリンクの速度（帯域）を超過するリンクがある（図１２のステップＳ１０６参照）ときに、ネットワーク構成の変更案を生成している（ステップＳ１０８参照）。リンク速度の所定の割合、例えば９０％、を超えるときに、データ分析部１１３は、変更案を生成するようにしてもよい。または、ある程度の輻輳までは許容して、例えば１０５％を超えるときには、データ分析部１１３は、変更案を生成するようにしてもよい。
【００９９】
≪第１の実施形態：変形例：ネットワーク管理者に提示することなく最良案の変更実施≫
第１の実施形態は、ネットワーク設定装置１００は、変更案比較表１９０のなかでネットワーク管理者が選択した変更案をネットワーク管理装置３１０に指示している。これに対して、ネットワーク設定装置１００は、ネットワーク管理者に変更案比較表１９０を提示することなく、リンク工事をする案ではない、総合スコア１９８が最良の変更案をネットワーク管理装置３１０に指示してもよい。
【０１００】
≪第２の実施形態：予測されるモバイル通信への対応≫
第１の実施形態では、スケジュール情報から予測される帯域が大きいトラフィックについて、輻輳が発生しないようにトラフィックの経路を変更するというネットワーク構成の変更を行っている。第２の実施形態では、スケジュール情報から予測されるモバイル通信について、モバイル通信に係るモバイル端末の利用可否や利用可能位置を変更するというネットワーク構成の変更を行う。詳しくは、ネットワーク設定装置は、利用者が登録したスケジュール情報のなかで外出（出張）に係る登録情報を取得して、モバイル端末の利用を予測する。次に、ネットワーク設定装置は、利用されるモバイル端末が使用できるように設定する。
【０１０１】
≪第２の実施形態：ネットワーク設定装置の全体構成≫
図１７は、第２の実施形態に係るネットワーク設定装置１００Ａの全体構成を示す図である。ネットワーク設定装置１００Ａは、制御部１１０、記憶部１２０および入出力部１０５を含んで構成される。入出力部１０５は、スケジュール管理サーバ３２０の他に後記するモバイル端末管理サーバ３４０との通信データを、ネットワーク９００を介してやり取りする通信デバイス（不図示）を備える。
【０１０２】
モバイル端末管理サーバ３４０は、後記するモバイル端末３３０を管理するサーバであって、モバイルネットワーク９００Ｍを運営する仮想移動体通信事業者（ＭＶＮＯ（Mobile Virtual Network Operator））が運用するサーバである。モバイル端末管理サーバ３４０に指示を出すことにより、ネットワーク設定装置１００Ａは、モバイル端末３３０の使用の許可／禁止を設定したり、使用できる地域を設定したりすることができる。モバイル端末３３０は、既定では使用禁止であって、ネットワーク設定装置１００Ａにから使用を許可する設定がされて、始めて使用できる。
【０１０３】
モバイル端末３３０は、利用者が外出時に利用する通信装置であって、モバイルネットワーク９００Ｍに接続される。パソコンをモバイル端末３３０に接続することで、モバイルネットワーク９００Ｍを介して、パソコンがインターネット９２２を含むネットワーク９００に接続され、拠点Ｓ９３１，Ｓ９３２にある各種業務システム他にアクセス可能となる。
【０１０４】
≪第２の実施形態：ネットワーク設定装置の全体構成：制御部の構成≫
制御部１１０は、インフラ情報収集部１１１Ａ、スケジュール情報収集部１１２Ａ、データ分析部１１３Ａおよびモバイル端末設定部１１６を備える。なお、データ分析部１１３Ａとモバイル端末設定部１１６とを合わせてネットワーク設定部とも記す。
インフラ情報収集部１１１Ａは、設備情報管理サーバ（不図示）から、後記するモバイル端末３３０の利用者を取得して、後記するモバイル端末データベース２１０（後記する図１８参照）に格納する。
【０１０５】
スケジュール情報収集部１１２Ａは、スケジュール管理サーバ３２０から外出に係るスケジュール情報を取得して、スケジュール情報データベース１６０Ａ（後記する図１９参照）に格納する。
データ分析部１１３Ａは、インフラ情報収集部１１１Ａやスケジュール情報収集部１１２Ａが取得した情報から、モバイル端末３３０の利用状況を予測する。
モバイル端末設定部１１６は、モバイル端末管理サーバ３４０に指示して、予測された利用状況に対応したモバイル端末３３０の利用が可能となるように、モバイル端末３３０の設定を行う。
【０１０６】
≪第２の実施形態：ネットワーク設定装置の全体構成：記憶部の構成≫
記憶部１２０は、モバイル端末データベース２１０（後記する図１８参照）およびスケジュール情報データベース１６０Ａ（後記する図１９参照）を含んで構成される。
図１８は、第２の実施形態に係るモバイル端末データベース２１０のデータ構成を例示する図である。モバイル端末データベース２１０は、例えば表形式のデータであって、１つの行（レコード）は、モバイル端末を示し、モバイル端末２１１および利用者２１２の列（属性）を含む。
【０１０７】
モバイル端末２１１は、レコードが示すモバイル端末の識別情報である。利用者２１２は、レコードが示すモバイル端末の利用者の識別情報である。
レコード２１９は、識別情報が「Ｍ４８３２」であるモバイル端末の利用者の識別情報は「Ｐ５３８４」であることを示す。
【０１０８】
図１９は、第２の実施形態に係るスケジュール情報データベース１６０Ａに格納されるデータを説明するための図である。スケジュール情報データベース１６０Ａのデータ構成は、第１の実施形態と同様である。レコード１６９Ｂは、識別情報が「Ｐ５３８４」で示される利用者の２０１８年７月５日の予定であって、大阪に出張することを示している。レコード１６９Ｃは、識別情報が「Ｐ５８４３」で示される利用者の２０１８年７月５日午前の予定であって、顧客である「ＸＸＸ商店」に出張することを示している。
【０１０９】
≪第２の実施形態：ネットワーク構成変更処理≫
図２０は、第２の実施形態に係るネットワーク構成変更処理のフローチャートである。図２０を参照しながら、ネットワーク設定装置１００Ａが実行するネットワーク構成変更処理を説明する。ネットワーク構成変更処理は、所定のタイミング、例えば定期的に実行される。
【０１１０】
ステップＳ１３１において、スケジュール情報収集部１１２Ａは、スケジュール管理サーバ３２０にアクセスして、利用者が外出するイベントのスケジュール情報を収集して、スケジュール情報データベース１６０Ａに格納する。外出するイベントとは、「出張」や「訪問」などのキーワードを含む業務による外出である。
【０１１１】
ステップＳ１３２において、データ分析部１１３Ａは、ステップＳ１３１で外出するイベントがあれば（ステップＳ１３２→Ｙ）ステップＳ１３３に進み、なければ（ステップＳ１３２→Ｎ）ネットワーク構成変更処理を終了する。
ステップＳ１３３において、データ分析部１１３Ａは、ステップＳ１３１で取得したイベントごとに、ステップＳ１３４〜Ｓ１３６の処理を繰り返す。以下では、繰り返す個々の処理の対象となる期間を処理対象外出と記す。以下のステップＳ１３４〜Ｓ１３６の説明では、レコード１６９Ｂ，１６９Ｃで示されるイベントを例とする。
【０１１２】
ステップＳ１３４において、データ分析部１１３Ａは、利用されるモバイル端末を特定する。データ分析部１１３Ａは、スケジュール情報データベース１６０Ａ（図１９参照）においてイベントに対応する利用者１６１を特定し、モバイル端末データベース２１０（図１８参照）を参照すれば、モバイル端末を特定できる。
【０１１３】
ステップＳ１３５において、データ分析部１１３Ａは、処理対象外出の外出先の位置を取得する。外出先の地域や顧客、ビルなどから、市区町村などの住所や緯度経度で示される位置を取得する。
ステップＳ１３６において、モバイル端末設定部１１６は、モバイル端末の利用を設定する。詳しくは、モバイル端末設定部１１６は、外出するイベントの期間１６２に、ステップＳ１３４で特定した端末が、ステップＳ１３５で取得した位置で利用できるように、モバイル端末管理サーバ３４０に指示して、利用を設定する。
【０１１４】
例えば、図１９のレコード１６９Ｂに示される処理対象外出の場合には、識別情報が「Ｍ４８３２」であるモバイル端末３３０について、２０１８年７月５日に大阪で利用できるように設定する。レコード１６９Ｃに示される処理対象外出の場合には、識別情報が「Ｍ４８０２」であるモバイル端末３３０について、２０１８年７月５日午前に「ＸＸＸ商店」の所在地で利用できるように設定する。
【０１１５】
ステップＳ１３７において、データ分析部１１３Ａは、全ての処理対象外出についてステップＳ１３４〜Ｓ１３６を実行したらネットワーク構成変更処理を終え、残りがあれば、ステップＳ１３４〜Ｓ１３６を繰り返す。
【０１１６】
≪第２の実施形態：ネットワーク構成変更処理の特徴≫
モバイル端末は、既定の設定では利用不可となっており、出張などで利用の予定がある場合にのみ、利用期間や利用位置を限定して利用可能となる。このように利用を限定することで、モバイル端末の紛失や盗難に利用者が気付かなかったとしても、不正なモバイル端末の利用を防止することができる。
ネットワーク設定装置１００Ａを用いることで、利用者からの通知がなくても、ネットワーク管理者は、予定されているネットワーク利用に応じたネットワーク構成（モバイル端末の利用可否）に変更することができ、利用予定に応じてモバイル端末が利用可能となるようにネットワークを管理できる。
【０１１７】
≪第２の実施形態：変形例≫
第２の実施形態では、ネットワーク設定装置１００Ａは、仮想移動体通信事業者が運用するモバイル端末管理サーバ３４０に指示して、モバイル端末３３０の利用可否や利用位置の設定をしているが、他の手段を用いてもよい。例えば、組織のネットワークと外部のネットワークとの接続点（ゲートウェイ）で、モバイル端末３３０からの通信を識別して、通信を制限するようにしてもよい。
【０１１８】
≪その他変形例≫
なお、本発明は、インフラ情報収集部１１１，１１１Ａ、スケジュール情報収集部１１２，１１２Ａ、データ分析部１１３，１１３Ａ、データ評価部１１４、インフラ設定部１１５、モバイル端末設定部１１６などの構成要素、フローチャートに記載された処理内容は、本発明の趣旨を逸脱しない範囲で適宜変更が可能である。
【符号の説明】
【０１１９】
１００，１００Ａ  ネットワーク設定装置
１１１，１１１Ａ  インフラ情報収集部
１１２，１１２Ａ  スケジュール情報収集部
１１３，１１３Ａ  データ分析部（ネットワーク設定部）
１１４  データ評価部（ネットワーク設定部）
１１５  インフラ設定部（ネットワーク設定部）
１１６  モバイル端末設定部（ネットワーク設定部）
１２５  インフラ構成データベース
１３０  設備情報データベース
１４０  リンク情報データベース
１５０  インフラ統計データベース
１６０  スケジュール情報データベース
１７０  サービス情報データベース
１８０  リンクコスト情報データベース
１９０  変更案比較表
２１０  モバイル端末データベース
３１０  ネットワーク管理装置
３２０  スケジュール管理サーバ
３４０  モバイル端末管理サーバ
９１３  動画サーバ
９１４  ストレージサーバ
９２１  専用線
９２２  インターネット
【図１】
2020043376.tif 000003
【図２】
2020043376.tif 000004
【図３】
2020043376.tif 000005
【図４】
2020043376.tif 000006
【図５】
2020043376.tif 000007
【図６】
2020043376.tif 000008
【図７】
2020043376.tif 000009
【図８】
2020043376.tif 000010
【図９】
2020043376.tif 000011
【図１０】
2020043376.tif 000012
【図１１】
2020043376.tif 000013
【図１２】
2020043376.tif 000014
【図１３】
2020043376.tif 000015
【図１４】
2020043376.tif 000016
【図１５】
2020043376.tif 000017
【図１６】
2020043376.tif 000018
【図１７】
2020043376.tif 000019
【図１８】
2020043376.tif 000020
【図１９】
2020043376.tif 000021
【図２０】
2020043376.tif 000022